(57)【要約】【課題】１枚のカード状スタンド体を折り曲げるだけで、板状通信機器の前面下部と後面を挟み込み、保持することができるスタンドを作成できる、カード状スタンドを提供する。【解決手段】この発明にかかるカード状スタンド１０は、カード状スタンド体１００を、横方向における中間領域に形成された折り曲げ部２０を介して、左右に分かれた脚部２２と、カード状スタンド体１００において上下方向における中間領域に形成された折り返し部１２より上方に突き出た、板状写真機又は板状通信機器の下部を保持する下部保持部１６及び板状写真機又は板状通信機器の上部を保持する上部保持部１８とを備え、１枚のカード状スタンド体１００を折り曲げて、脚部２２，下部保持部１６及び上部保持部１８を形成して、板状通信機器の前面下部と後面を挟み込み、保持することができる。【選択図】図１
2015128505.tif 000002
【特許請求の範囲】
【請求項１】
カード状スタンド体を、カード状スタンド体の上下方向における中間領域に形成された折り返し部において折り返して下方にのばした下方領域部と、
カード状スタンド体の上下方向における中間領域に形成された折り返し部において折り返したときにおいて、折り返し部より上方に突き出た、手前側保持部及び向こう側保持部を備え、
前記下方領域部は、カード状スタンド体の横方向における中間領域に形成された折り曲げ部を介して、左右に分かれた第１下方領域部と第２下方領域部とを有し、
前記第１下方領域部と第２下方領域部とは、カード状スタンド体を折り曲げ部において折り曲げられたときに、手前側面又は向こう側面が向き合って起立するように構成され、
前記手前側保持部は、カード状スタンド体の横方向における中間領域に形成された折り曲げ部を介して、左右に分かれた第１手前側保持部と第２手前側保持部とを有し、
前記第１手前側保持部と第２手前側保持部とは、カード状スタンド体を折り曲げ部において折り曲げられたときに、手前側面又は向こう側面が向き合って起立するように構成され、
前記向こう側保持部は、前記下方領域部から離れて形成され、カード状スタンド体の横方向における中間領域に形成された折り曲げ部を介して、左右に分かれた第１向こう側保持部と第２向こう側保持部とを有し、
前記第１向こう側保持部と第２向こう側保持部とは、カード状スタンド体を折り曲げ部において折り曲げられたときに、手前側面又は向こう側面が向き合って起立するように構成された、カード状スタンド。
【請求項２】
前記折り返し部は、折り曲げ部を介して、左右に分かれた第１折り返し部と第２折り返し部とを有し、
前記第１折り返し部と第２折り返し部とが向き合って、板状写真機又は板状通信機器の下端を保持するように構成された、請求項１に記載のカード状スタンド。
【請求項３】
前記第１手前側保持部と第２手前側保持部とは、カード状スタンド体の左右端に分かれて形成され、
前記第１向こう側保持部と第２向こう側保持部とは、前記左右に分かれた第１手前側保持部と第２手前側保持部との間に形成された、請求項１又は請求項２に記載のカード状スタンド。
【請求項４】
前記折り返し部は、第１手前側保持部及び第２手前側保持部と、第１向こう側保持部及び第２向こう側保持部との間において形成された、請求項１ないし請求項３のいずれかに記載のカード状スタンド。
【請求項５】
前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されるとともに、前記折り返し部の隣接する端部とは反対側の端部とカード状スタンド体の左右端との間に跨ってのびる第２切り離し部及び第３切り離し部を形成された、請求項１ないし請求項４のいずれかに記載のカード状スタンド。
【請求項６】
前記下方領域部は、水平方向にのびる折り返し部において折り返してカード状スタンド体の下端縁より下方に突き出させた脚部を構成する、請求項１ないし請求項５のいずれかに記載のカード状スタンド。
【請求項７】
前記下方領域部は、カード状スタンド体の上下方向における中間領域に形成された折り返し部を介して、それぞれ下方にのびる手前側下方領域部と向こう側下方領域部とを構成し、
前記手前側下方領域部及び向こう側下方領域部は、横方向における中間領域に形成された折り曲げ部を介して、左右に分かれた第１脚部と第２脚部とを有している、請求項１ないし請求項６のいずれかに記載のカード状スタンド。
【請求項８】
カード状スタンド体を、カード状スタンド体の横方向における中間領域に形成された折り曲げ部を介して、左右に分かれた脚部と、
カード状スタンド体において上下方向における中間領域に形成された折り返し部より上方に突き出た、板状写真機又は板状通信機器の下部を保持する下部保持部及び板状写真機又は板状通信機器の上部を保持する上部保持部とを備え、
前記脚部は、カード状スタンド体の横方向における中間領域に形成された折り曲げ部を介して、左右に分かれた第１脚部と第２脚部とを有し、
前記第１脚部と第２脚部とは、カード状スタンド体を折り曲げ部において折り曲げられたときに、手前側面又は向こう側面が向き合って起立するように構成され、
前記下部保持部は、カード状スタンド体の横方向における中間領域に形成された折り曲げ部を介して、左右に分かれた第１下部保持部と第２下部保持部とを有し、
前記第１下部保持部と第２下部保持部とは、カード状スタンド体を折り曲げ部において折り曲げられたときに、手前側面又は向こう側面が向き合って起立するように構成され、
前記上部保持部は、前記脚部から離れて形成され、カード状スタンド体の横方向における中間領域に形成された折り曲げ部を介して、左右に分かれた第１上部保持部と第２上部保持部とを有し、
前記第１上部保持部と第２上部保持部とは、カード状スタンド体を折り曲げ部において折り曲げられたときに、手前側面又は向こう側面が向き合って起立するように構成された、カード状スタンド。
【請求項９】
カード状スタンド体は、方形状の腰があり弾力性を有する板状体であって、幅方向における中間領域に折り曲げ部を形成され、且つ、上下方向における中間領域に折り返し部を形成され、
カード状スタンド体を、カード状スタンド体の上下方向における中間領域に形成された折り返し部において折り返して下方にのばす下方領域と、
カード状スタンド体の上下方向における中間領域に形成された折り返し部において折り返したときにおいて、折り返し部より上方に突き出す、手前側保持部領域及び向こう側保持部領域を備え、
前記下方領域は、カード状スタンド体の横方向における中間領域に形成された折り曲げ部を介して、左右に分かれた第１下方領域と第２下方領域とを有し、
前記第１下方領域と第２下方領域とは、カード状スタンド体を折り曲げ部において折り曲げられたときに、手前側面又は向こう側面が向き合って起立して第１下方領域部及び第２下方領域部を形成するように構成され、
前記手前側保持部領域は、カード状スタンド体の横方向における中間領域に形成された折り曲げ部を介して、左右に分かれた第１手前側保持部領域と第２手前側保持部領域とを有し、
前記第１手前側保持部領域と第２手前側保持部領域とは、カード状スタンド体を折り曲げ部において折り曲げられたときに、手前側面又は向こう側面が向き合って起立して第１手前側保持部を形成するように構成され、
前記向こう側保持部領域は、前記下方領域から離れて形成され、カード状スタンド体の横方向における中間領域に形成された折り曲げ部を介して、左右に分かれた第１向こう側保持部領域と第２向こう側保持部領域とを有し、
前記第１向こう側保持部領域と第２向こう側保持部領域とは、カード状スタンド体を折り曲げ部において折り曲げられたときに、手前側面又は向こう側面が向き合って起立して第１向こう側保持部及び第２向こう側保持部を形成するように構成された、カード状スタンド。
【請求項１０】
カード状スタンド体は、方形状の腰があり弾力性を有する板状体であって、幅方向における中間領域に折り曲げ部を形成され、且つ、上下方向における中間領域に折り返し部を形成され、
カード状スタンド体を、カード状スタンド体の横方向における中間領域に形成された脚部領域と、
カード状スタンド体の上下方向における中間領域に形成された折り返し部において折り返したときにおいて、折り返し部より上方に突き出た、板状写真機又は板状通信機器の下部を保持する下部保持部領域及び板状写真機又は板状通信機器の上部を保持する上部保持部領域とを備え、
前記脚部領域は、カード状スタンド体の横方向における中間領域に形成された折り曲げ部を介して、左右に分かれた第１脚部領域と第２脚部領域とを有し、
前記第１脚部領域と第２脚部領域とは、カード状スタンド体を折り曲げ部において折り曲げられたときに、手前側面又は向こう側面が向き合って起立して第１脚部及び第２脚部を形成するように構成され、
前記下部保持部領域は、カード状スタンド体の横方向における中間領域に形成された折り曲げ部を介して、左右に分かれた第１下部保持部領域と第２下部保持部領域とを有し、
前記第１下部保持部領域と第２下部保持部領域とは、カード状スタンド体を折り曲げ部において折り曲げられたときに、手前側面又は向こう側面が向き合って起立して第１下部保持部及び第２下部保持部を形成するように構成され、
前記上部保持部領域は、前記脚部領域から離れて形成され、カード状スタンド体の横方向における中間領域に形成された折り曲げ部を介して、左右に分かれた第１上部保持部領域と第２上部保持部領域とを有し、
前記第１上部保持部領域と第２上部保持部領域とは、カード状スタンド体を折り曲げ部において折り曲げられたときに、手前側面又は向こう側面が向き合って起立して第１上部保持部及び第２上部保持部を形成するように構成された、カード状スタンド。
【請求項１１】
前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されて、下方領域又は脚部領域と保持部領域とに分割するとともに、前記折り返し部の隣接する端部とは反対側の端部とカード状スタンド体の左右端との間に跨ってのびる第２切り離し部及び第３切り離し部を形成されて、下方領域又は脚部領域と保持部領域とに分割する、請求項９又は請求項１０に記載のカード状スタンド。
【請求項１２】
第１脚部領域及び第２脚部領域は、カード状スタンド体の上下方向における中間領域に形成された折り返し部において折り返して下方にのばす手前側の第１脚部領域及び手前側の第２脚部領域と、折り返された手前側の第１脚部領域及び手前側の第２脚部領域と対向する向こう側の第１脚部領域及び向こう側の第２脚部領域とを有し、折り返し部において折り返して下方にのばした手前側の第１脚部領域及び手前側の第２脚部領域によって手前側の第１脚部及び手前側の第２脚部を形成し、向こう側の第１脚部領域及び向こう側の第２脚部領域によって向こう側の第１脚部及び向こう側の第２脚部を形成する、請求項１０又は請求項１１に記載のカード状スタンド。
【発明の詳細な説明】
【技術分野】
【０００１】
本発明は、携帯電話等の板状機器を立てるカード状スタンドに関し、特に、例えばカメラ機能を有するスマートフォン等の板状通信機器の三脚に用いるに適するカード状スタンドに関する。
【背景技術】
【０００２】
現在、カメラ機能を有する携帯電話、特にスマートフォンが普及し、そのカメラ機能を利用して撮影する人が多くなっている。
【０００３】
この携帯電話を、販売するために陳列する台が提案されている（特許文献１参照）。
又、携帯電話スタンドとして利用することも可能な、組立式傾斜容器が提案されている（特許文献２参照）。
【先行技術文献】
【特許文献】
【０００４】
【特許文献１】登録実用新案第３０９７１３１号
【特許文献２】特開２００３−１８２７２３号公報
【発明の概要】
【発明が解決しようとする課題】
【０００５】
特許文献１の紙製携帯電話用スタンドは、複雑な組立作業を要求されており、いささか面倒であり、特許文献２の容器も同様である。
ところが、このスマートフォンを立てて撮影するための三脚がなく、この特許文献１及び２の台やスタンドもカメラの三脚として利用をできない。
それゆえに、この発明の主たる目的は、１枚のカード状スタンド体を折り曲げるだけで、板状通信機器の前面下部と後面を挟み込み、保持することができるスタンドを作成できる、カード状スタンドを提供することである。
この発明のその他の目的は、１枚のカード状スタンド体を折り曲げるだけで、板状通信機器の前面下部と後面を挟み込み、カメラとして利用するときの三脚となるスタンドを作成できる、カード状スタンドを提供することである。
【課題を解決するための手段】
【０００６】
この発明の請求項１にかかるカード状スタンドは、カード状スタンド体を、カード状スタンド体の上下方向における中間領域に形成された折り返し部において折り返して下方にのばした下方領域部と、カード状スタンド体の上下方向における中間領域に形成された折り返し部において折り返したときにおいて、折り返し部より上方に突き出た、手前側保持部及び向こう側保持部を備え、前記下方領域部は、カード状スタンド体の横方向における中間領域に形成された折り曲げ部を介して、左右に分かれた第１下方領域部と第２下方領域部とを有し、前記第１下方領域部と第２下方領域部とは、カード状スタンド体を折り曲げ部において折り曲げられたときに、手前側面又は向こう側面が向き合って起立するように構成され、前記手前側保持部は、カード状スタンド体の横方向における中間領域に形成された折り曲げ部を介して、左右に分かれた第１手前側保持部と第２手前側保持部とを有し、前記第１手前側保持部と第２手前側保持部とは、カード状スタンド体を折り曲げ部において折り曲げられたときに、手前側面又は向こう側面が向き合って起立するように構成され、前記向こう側保持部は、前記下方領域部から離れて形成され、カード状スタンド体の横方向における中間領域に形成された折り曲げ部を介して、左右に分かれた第１向こう側保持部と第２向こう側保持部とを有し、前記第１向こう側保持部と第２向こう側保持部とは、カード状スタンド体を折り曲げ部において折り曲げられたときに、手前側面又は向こう側面が向き合って起立するように構成された、カード状スタンドである。
この発明の請求項２にかかるカード状スタンドにおいては、前記折り返し部は、折り曲げ部を介して、左右に分かれた第１折り返し部と第２折り返し部とを有し、前記第１折り返し部と第２折り返し部とが向き合って、板状写真機又は板状通信機器の下端を保持するように構成された、請求項１に記載のカード状スタンドである。
この発明の請求項３にかかるカード状スタンドは、前記第１手前側保持部と第２手前側保持部とは、カード状スタンド体の左右端に分かれて形成され、前記第１向こう側保持部と第２向こう側保持部とは、前記左右に分かれた第１手前側保持部と第２手前側保持部との間に形成された、請求項１又は請求項２に記載のカード状スタンドである。
この発明の請求項４にかかるカード状スタンドにおいては、前記折り返し部は、第１手前側保持部及び第２手前側保持部と、第１向こう側保持部及び第２向こう側保持部との間において形成された、請求項１ないし請求項３のいずれかに記載のカード状スタンドである。
この発明の請求項５にかかるカード状スタンドにおいては、前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されるとともに、前記折り返し部の隣接する端部とは反対側の端部とカード状スタンド体の左右端との間に跨ってのびる第２切り離し部及び第３切り離し部を形成された、請求項１ないし請求項４のいずれかに記載のカード状スタンドである。
この発明の請求項６にかかるカード状スタンドにおいては、前記下方領域部は、水平方向にのびる折り返し部において折り返してカード状スタンド体の下端縁より下方に突き出させた脚部を構成する、請求項１ないし請求項５のいずれかに記載のカード状スタンドである。
この発明の請求項７にかかるカード状スタンドにおいては、前記下方領域部は、カード状スタンド体の上下方向における中間領域に形成された折り返し部を介して、それぞれ下方にのびる手前側下方領域部と向こう側下方領域部とを構成し、前記手前側下方領域部及び向こう側下方領域部は、横方向における中間領域に形成された折り曲げ部を介して、左右に分かれた第１脚部と第２脚部とを有している、請求項１ないし請求項６のいずれかに記載のカード状スタンドである。
この発明の請求項８にかかるカード状スタンドにおいては、カード状スタンド体を、カード状スタンド体の横方向における中間領域に形成された折り曲げ部を介して、左右に分かれた脚部と、カード状スタンド体において上下方向における中間領域に形成された折り返し部より上方に突き出た、板状写真機又は板状通信機器の下部を保持する下部保持部及び板状写真機又は板状通信機器の上部を保持する上部保持部とを備え、前記脚部は、カード状スタンド体の横方向における中間領域に形成された折り曲げ部を介して、左右に分かれた第１脚部と第２脚部とを有し、前記第１脚部と第２脚部とは、カード状スタンド体を折り曲げ部において折り曲げられたときに、手前側面又は向こう側面が向き合って起立するように構成され、前記下部保持部は、カード状スタンド体の横方向における中間領域に形成された折り曲げ部を介して、左右に分かれた第１下部保持部と第２下部保持部とを有し、前記第１下部保持部と第２下部保持部とは、カード状スタンド体を折り曲げ部において折り曲げられたときに、手前側面又は向こう側面が向き合って起立するように構成され、前記上部保持部は、前記脚部から離れて形成され、カード状スタンド体の横方向における中間領域に形成された折り曲げ部を介して、左右に分かれた第１上部保持部と第２上部保持部とを有し、前記第１上部保持部と第２上部保持部とは、カード状スタンド体を折り曲げ部において折り曲げられたときに、手前側面又は向こう側面が向き合って起立するように構成された、カード状スタンドである。
この発明の請求項９にかかるカード状スタンドにおいては、カード状スタンド体は、方形状の腰があり弾力性を有する板状体であって、幅方向における中間領域に折り曲げ部を形成され、且つ、上下方向における中間領域に折り返し部を形成され、カード状スタンド体を、カード状スタンド体の上下方向における中間領域に形成された折り返し部において折り返して下方にのばす下方領域と、カード状スタンド体の上下方向における中間領域に形成された折り返し部において折り返したときにおいて、折り返し部より上方に突き出す、手前側保持部領域及び向こう側保持部領域を備え、前記下方領域は、カード状スタンド体の横方向における中間領域に形成された折り曲げ部を介して、左右に分かれた第１下方領域と第２下方領域とを有し、前記第１下方領域と第２下方領域とは、カード状スタンド体を折り曲げ部において折り曲げられたときに、手前側面又は向こう側面が向き合って起立して第１下方領域部及び第２下方領域部を形成するように構成され、前記手前側保持部領域は、カード状スタンド体の横方向における中間領域に形成された折り曲げ部を介して、左右に分かれた第１手前側保持部領域と第２手前側保持部領域とを有し、前記第１手前側保持部領域と第２手前側保持部領域とは、カード状スタンド体を折り曲げ部において折り曲げられたときに、手前側面又は向こう側面が向き合って起立して第１手前側保持部を形成するように構成され、前記向こう側保持部領域は、前記下方領域から離れて形成され、カード状スタンド体の横方向における中間領域に形成された折り曲げ部を介して、左右に分かれた第１向こう側保持部領域と第２向こう側保持部領域とを有し、前記第１向こう側保持部領域と第２向こう側保持部領域とは、カード状スタンド体を折り曲げ部において折り曲げられたときに、手前側面又は向こう側面が向き合って起立して第１向こう側保持部及び第２向こう側保持部を形成するように構成された、カード状スタンドである。
この発明の請求項１０にかかるカード状スタンドにおいては、カード状スタンド体は、方形状の腰があり弾力性を有する板状体であって、幅方向における中間領域に折り曲げ部を形成され、且つ、上下方向における中間領域に折り返し部を形成され、カード状スタンド体を、カード状スタンド体の横方向における中間領域に形成された脚部領域と、カード状スタンド体の上下方向における中間領域に形成された折り返し部において折り返したときにおいて、折り返し部より上方に突き出た、板状写真機又は板状通信機器の下部を保持する下部保持部領域及び板状写真機又は板状通信機器の上部を保持する上部保持部領域とを備え、前記脚部領域は、カード状スタンド体の横方向における中間領域に形成された折り曲げ部を介して、左右に分かれた第１脚部領域と第２脚部領域とを有し、前記第１脚部領域と第２脚部領域とは、カード状スタンド体を折り曲げ部において折り曲げられたときに、手前側面又は向こう側面が向き合って起立して第１脚部及び第２脚部を形成するように構成され、前記下部保持部領域は、カード状スタンド体の横方向における中間領域に形成された折り曲げ部を介して、左右に分かれた第１下部保持部領域と第２下部保持部領域とを有し、前記第１下部保持部領域と第２下部保持部領域とは、カード状スタンド体を折り曲げ部において折り曲げられたときに、手前側面又は向こう側面が向き合って起立して第１下部保持部及び第２下部保持部を形成するように構成され、前記上部保持部領域は、前記脚部領域から離れて形成され、カード状スタンド体の横方向における中間領域に形成された折り曲げ部を介して、左右に分かれた第１上部保持部領域と第２上部保持部領域とを有し、前記第１上部保持部領域と第２上部保持部領域とは、カード状スタンド体を折り曲げ部において折り曲げられたときに、手前側面又は向こう側面が向き合って起立して第１上部保持部及び第２上部保持部を形成するように構成された、カード状スタンドである。
この発明の請求項１１にかかるカード状スタンドにおいては、前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されて、下方領域又は脚部領域と保持部領域とに分割するとともに、前記折り返し部の隣接する端部とは反対側の端部とカード状スタンド体の左右端との間に跨ってのびる第２切り離し部及び第３切り離し部を形成されて、下方領域又は脚部領域と保持部領域とに分割する、請求項９又は請求項１０に記載のカード状スタンドである。
この発明の請求項１２にかかるカード状スタンドにおいては、第１脚部領域及び第２脚部領域は、カード状スタンド体の上下方向における中間領域に形成された折り返し部において折り返して下方にのばす手前側の第１脚部領域及び手前側の第２脚部領域と、折り返された手前側の第１脚部領域及び手前側の第２脚部領域と対向する向こう側の第１脚部領域及び向こう側の第２脚部領域とを有し、折り返し部において折り返して下方にのばした手前側の第１脚部領域及び手前側の第２脚部領域によって手前側の第１脚部及び手前側の第２脚部を形成し、向こう側の第１脚部領域及び向こう側の第２脚部領域によって向こう側の第１脚部及び向こう側の第２脚部を形成する、請求項１０又は請求項１１に記載のカード状スタンドである。
【発明の効果】
【０００７】
請求項１の発明によれば、カード状スタンド体を、カード状スタンド体の上下方向における中間領域に形成された折り返し部において折り返して下方にのばした下方領域部と、カード状スタンド体の上下方向における中間領域に形成された折り返し部において折り返したときにおいて、折り返し部より上方に突き出た、手前側保持部及び向こう側保持部を備え、前記下方領域部は、カード状スタンド体の横方向における中間領域に形成された折り曲げ部を介して、左右に分かれた第１下方領域部と第２下方領域部とを有し、前記第１下方領域部と第２下方領域部とは、カード状スタンド体を折り曲げ部において折り曲げられたときに、手前側面又は向こう側面が向き合って起立するように構成され、前記手前側保持部は、カード状スタンド体の横方向における中間領域に形成された折り曲げ部を介して、左右に分かれた第１手前側保持部と第２手前側保持部とを有し、前記第１手前側保持部と第２手前側保持部とは、カード状スタンド体を折り曲げ部において折り曲げられたときに、手前側面又は向こう側面が向き合って起立するように構成され、前記向こう側保持部は、前記下方領域部から離れて形成され、カード状スタンド体の横方向における中間領域に形成された折り曲げ部を介して、左右に分かれた第１向こう側保持部と第２向こう側保持部とを有し、前記第１向こう側保持部と第２向こう側保持部とは、カード状スタンド体を折り曲げ部において折り曲げられたときに、手前側面又は向こう側面が向き合って起立するように構成されているので、１枚のカード状スタンド体を折り曲げるだけで、板状通信機器の前面下部と後面を挟み込み、保持することができるスタンドを作成できる、カード状スタンドを提供することができる、１枚のカード状スタンド体を折り曲げるだけで、板状通信機器の前面下部と後面を挟み込み、カメラとして利用するときの三脚となるスタンドを作成できる。
請求項２の発明によれば、折り返し部は、折り曲げ部を介して、左右に分かれた第１折り返し部と第２折り返し部とを有し、第１折り返し部と第２折り返し部とが向き合って、板状写真機又は板状通信機器の下端を保持するように構成されているので、板状写真機又は板状通信機器を立てることができる。
請求項３の発明によれば、第１手前側保持部と第２手前側保持部とは、カード状スタンド体の左右端に分かれて形成され、第１向こう側保持部と第２向こう側保持部とは、前記左右に分かれた第１手前側保持部と第２手前側保持部との間に形成されているので、板状写真機又は板状通信機器を立てることができる。
請求項４の発明によれば、前記折り返し部は、第１手前側保持部及び第２手前側保持部と、第１向こう側保持部及び第２向こう側保持部との間において形成されているので、１枚のカード状スタンド体を折り曲げるだけで、板状通信機器の前面下部と後面を挟み込み、保持することができるスタンドを作成できる、カード状スタンドを提供することができる。
請求項５の発明によれば、前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されるとともに、前記折り返し部の隣接する端部とは反対側の端部とカード状スタンド体の左右端との間に跨ってのびる第２切り離し部及び第３切り離し部を形成されているので、切り離し部を切り離し、１枚のカード状スタンド体を折り曲げるだけで、板状通信機器の前面下部と後面を挟み込み、保持することができるスタンドを作成できる、カード状スタンドを提供することができる。
請求項６の発明によれば、前記下方領域部は、水平方向にのびる折り返し部において折り返してカード状スタンド体の下端縁より下方に突き出させた脚部を構成するので、１枚のカード状スタンド体を折り曲げるだけで、板状通信機器の前面下部と後面を挟み込み、保持することができるスタンドを作成できる、カード状スタンドを提供することができる。
請求項７の発明によれば、前記下方領域部は、カード状スタンド体の上下方向における中間領域に形成された折り返し部を介して、それぞれ下方にのびる手前側下方領域部と向こう側下方領域部とを構成し、前記手前側下方領域部及び向こう側下方領域部は、横方向における中間領域に形成された折り曲げ部を介して、左右に分かれた第１脚部と第２脚部とを有しているので、１枚のカード状スタンド体を折り曲げるだけで、板状通信機器の前面下部と後面を挟み込み、保持することができるスタンドを作成できる、カード状スタンドを提供することができる。
請求項８の発明によれば、カード状スタンド体を、カード状スタンド体の横方向における中間領域に形成された折り曲げ部を介して、左右に分かれた脚部と、カード状スタンド体において上下方向における中間領域に形成された折り返し部より上方に突き出た、板状写真機又は板状通信機器の下部を保持する下部保持部及び板状写真機又は板状通信機器の上部を保持する上部保持部とを備え、前記脚部は、カード状スタンド体の横方向における中間領域に形成された折り曲げ部を介して、左右に分かれた第１脚部と第２脚部とを有し、前記第１脚部と第２脚部とは、カード状スタンド体を折り曲げ部において折り曲げられたときに、手前側面又は向こう側面が向き合って起立するように構成され、前記下部保持部は、カード状スタンド体の横方向における中間領域に形成された折り曲げ部を介して、左右に分かれた第１下部保持部と第２下部保持部とを有し、前記第１下部保持部と第２下部保持部とは、カード状スタンド体を折り曲げ部において折り曲げられたときに、手前側面又は向こう側面が向き合って起立するように構成され、前記上部保持部は、前記脚部から離れて形成され、カード状スタンド体の横方向における中間領域に形成された折り曲げ部を介して、左右に分かれた第１上部保持部と第２上部保持部とを有し、前記第１上部保持部と第２上部保持部とは、カード状スタンド体を折り曲げ部において折り曲げられたときに、手前側面又は向こう側面が向き合って起立するように構成されているので、１枚のカード状スタンド体を折り曲げるだけで、板状通信機器の前面下部と後面を挟み込み、保持することができるスタンドを作成できる、カード状スタンドを提供することができる、１枚のカード状スタンド体を折り曲げるだけで、板状通信機器の前面下部と後面を挟み込み、カメラとして利用するときの三脚となるスタンドを作成できる。
請求項９の発明によれば、カード状スタンド体は、方形状の腰があり弾力性を有する板状体であって、幅方向における中間領域に折り曲げ部を形成され、且つ、上下方向における中間領域に折り返し部を形成され、カード状スタンド体を、カード状スタンド体の上下方向における中間領域に形成された折り返し部において折り返して下方にのばす下方領域と、カード状スタンド体の上下方向における中間領域に形成された折り返し部において折り返したときにおいて、折り返し部より上方に突き出す、手前側保持部領域及び向こう側保持部領域を備え、前記下方領域は、カード状スタンド体の横方向における中間領域に形成された折り曲げ部を介して、左右に分かれた第１下方領域と第２下方領域とを有し、前記第１下方領域と第２下方領域とは、カード状スタンド体を折り曲げ部において折り曲げられたときに、手前側面又は向こう側面が向き合って起立して第１下方領域部及び第２下方領域部を形成するように構成され、前記手前側保持部領域は、カード状スタンド体の横方向における中間領域に形成された折り曲げ部を介して、左右に分かれた第１手前側保持部領域と第２手前側保持部領域とを有し、前記第１手前側保持部領域と第２手前側保持部領域とは、カード状スタンド体を折り曲げ部において折り曲げられたときに、手前側面又は向こう側面が向き合って起立して第１手前側保持部を形成するように構成され、前記向こう側保持部領域は、前記下方領域から離れて形成され、カード状スタンド体の横方向における中間領域に形成された折り曲げ部を介して、左右に分かれた第１向こう側保持部領域と第２向こう側保持部領域とを有し、前記第１向こう側保持部領域と第２向こう側保持部領域とは、カード状スタンド体を折り曲げ部において折り曲げられたときに、手前側面又は向こう側面が向き合って起立して第１向こう側保持部及び第２向こう側保持部を形成するように構成されているので、１枚のカード状スタンド体を折り曲げるだけで、板状通信機器の前面下部と後面を挟み込み、保持することができるスタンドを作成できる、カード状スタンドを提供することができる、１枚のカード状スタンド体を折り曲げるだけで、板状通信機器の前面下部と後面を挟み込み、カメラとして利用するときの三脚となるスタンドを作成できる。
請求項１０の発明によれば、カード状スタンド体は、方形状の腰があり弾力性を有する板状体であって、幅方向における中間領域に折り曲げ部を形成され、且つ、上下方向における中間領域に折り返し部を形成され、カード状スタンド体を、カード状スタンド体の横方向における中間領域に形成された脚部領域と、カード状スタンド体の上下方向における中間領域に形成された折り返し部において折り返したときにおいて、折り返し部より上方に突き出た、板状写真機又は板状通信機器の下部を保持する下部保持部領域及び板状写真機又は板状通信機器の上部を保持する上部保持部領域とを備え、前記脚部領域は、カード状スタンド体の横方向における中間領域に形成された折り曲げ部を介して、左右に分かれた第１脚部領域と第２脚部領域とを有し、前記第１脚部領域と第２脚部領域とは、カード状スタンド体を折り曲げ部において折り曲げられたときに、手前側面又は向こう側面が向き合って起立して第１脚部及び第２脚部を形成するように構成され、前記下部保持部領域は、カード状スタンド体の横方向における中間領域に形成された折り曲げ部を介して、左右に分かれた第１下部保持部領域と第２下部保持部領域とを有し、前記第１下部保持部領域と第２下部保持部領域とは、カード状スタンド体を折り曲げ部において折り曲げられたときに、手前側面又は向こう側面が向き合って起立して第１下部保持部及び第２下部保持部を形成するように構成され、前記上部保持部領域は、前記脚部領域から離れて形成され、カード状スタンド体の横方向における中間領域に形成された折り曲げ部を介して、左右に分かれた第１上部保持部領域と第２上部保持部領域とを有し、前記第１上部保持部領域と第２上部保持部領域とは、カード状スタンド体を折り曲げ部において折り曲げられたときに、手前側面又は向こう側面が向き合って起立して第１上部保持部及び第２上部保持部を形成するように構成されているので、１枚のカード状スタンド体を折り曲げるだけで、板状通信機器の前面下部と後面を挟み込み、保持することができるスタンドを作成できる、カード状スタンドを提供することができる、１枚のカード状スタンド体を折り曲げるだけで、板状通信機器の前面下部と後面を挟み込み、カメラとして利用するときの三脚となるスタンドを作成できる。
請求項１１の発明によれば、前記カード状スタンド体は、折り曲げ部を挟んで左右に分かれた折り返し部を形成され、折り曲げ部を挟んで隣接する前記折り返し部の端部間において、折り返し部より上方に向いてのび且つ折り曲げ部を挟んで隣接する端部間に跨ってのびる第１切り離し部を形成されて、下方領域又は脚部領域と保持部領域とに分割するとともに、前記折り返し部の隣接する端部とは反対側の端部とカード状スタンド体の左右端との間に跨ってのびる第２切り離し部及び第３切り離し部を形成されて、下方領域又は脚部領域と保持部領域とに分割するので、１枚のカード状スタンド体を折り曲げるだけで、板状通信機器の前面下部と後面を挟み込み、保持することができるスタンドを作成できる、カード状スタンドを提供することができる。
請求項１２の発明によれば、第１脚部領域及び第２脚部領域は、カード状スタンド体の上下方向における中間領域に形成された折り返し部において折り返して下方にのばす手前側の第１脚部領域及び手前側の第２脚部領域と、折り返された手前側の第１脚部領域及び手前側の第２脚部領域と対向する向こう側の第１脚部領域及び向こう側の第２脚部領域とを有し、折り返し部において折り返して下方にのばした手前側の第１脚部領域及び手前側の第２脚部領域によって手前側の第１脚部及び手前側の第２脚部を形成し、向こう側の第１脚部領域及び向こう側の第２脚部領域によって向こう側の第１脚部及び向こう側の第２脚部を形成するので、第１脚部領域及び第２脚部領域は、カード状スタンド体の上下方向における中間領域に形成された折り返し部において折り返して下方にのばす手前側の第１脚部領域及び手前側の第２脚部領域と、折り返された手前側の第１脚部領域及び手前側の第２脚部領域と対向する向こう側の第１脚部領域及び向こう側の第２脚部領域とを有し、折り返し部において折り返して下方にのばした手前側の第１脚部領域及び手前側の第２脚部領域によって手前側の第１脚部及び手前側の第２脚部を形成し、向こう側の第１脚部領域及び向こう側の第２脚部領域によって向こう側の第１脚部及び向こう側の第２脚部を形成するので、１枚のカード状スタンド体を折り曲げるだけで、板状通信機器の前面下部と後面を挟み込み、保持することができるスタンドを作成できる、カード状スタンドを提供することができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明に係る携帯電話機用カード状スタンドの一実施形態の斜視図である。
【図２】同展開状態の正面図である。
【図３Ａ】同折り畳み状態の正面図解図である。
【図３Ｂ】同折り畳み状態の側面図解図である。
【図３Ｃ】図３ＡのＣ−Ｃ拡大断面図である。
【図３Ｄ】図３ＡのＤ−Ｄ拡大断面図である。
【図４】同折り畳み状態の背面図解図である。
【図５】同組立途上の斜視図解図である。
【図６】同組立途上の斜視図解図である。
【図７】同組立途上の斜視図解図である。
【図８】同組立途上の正面図である。
【図９】同使用状態の斜視図解図である。
【図１０】他の実施形態のタブレット型電話機用カード状スタンドの斜視図解図である。
【図１１】同展開状態の正面図である。
【図１２Ａ】同折り畳み状態の正面図解図である。
【図１２Ｂ】同折り畳み状態の側面図解図である。
【図１２Ｃ】図１２ＡのＣ−Ｃ拡大断面図である。
【図１２Ｄ】図１２ＡのＤ−Ｄ拡大断面図である。
【図１３】同折り畳み状態の背面図解図である。
【図１４】同組立途上の斜視図解図である。
【図１５】同組立途上の斜視図解図である。
【図１６】同組立途上の斜視図解図である。
【図１７】同組立途上の正面図である。
【図１８】同使用状態の斜視図解図である。
【発明を実施するための形態】
【００１０】
この発明の一実施の形態である、カメラ機能を有する板状通信機器Ｔ、例えばスマートフォンを立てる三脚として利用できるカード状スタンド１０は、次のように構成されている。
カード状スタンド体１００を、カード状スタンド体１００の上下方向における中間領域に形成された折り返し部１２において折り返して下方にのばした下方領域部１４と、カード状スタンド体１００の上下方向における中間領域に形成された折り返し部１２において折り返したときにおいて、折り返し部１２より上方に突き出た、手前側保持部１６及び向こう側保持部１８とを備える。
【００１１】
前記下方領域部１４は、カード状スタンド体１００の横方向における中間領域に形成された折り曲げ部２０を介して、左右に分かれた第１下方領域部３０と第２下方領域部３２とを有している。
前記第１下方領域部３０と第２下方領域部３２とは、カード状スタンド体１００を折り曲げ部２０において折り曲げられたときに、手前側面又は向こう側面が向き合って起立するように構成されている。
第１手前側保持部４０と第２手前側保持部４２とは、板状通信機器Ｔの前面の下面を２点で支持するように、適宜な間隔をおいて形成されている。
【００１２】
前記手前側保持部１６は、カード状スタンド体１００の横方向における中間領域に形成された折り曲げ部２０を介して、左右に分かれた第１手前側保持部４０と第２手前側保持部４２とを有している。
前記第１手前側保持部４０と第２手前側保持部４２とは、カード状スタンド体１００を折り曲げ部２０において折り曲げられたときに、手前側面又は向こう側面が向き合って起立するように構成されている。
第１手前側保持部４０と第２手前側保持部４２とは、板状通信機器Ｔの前面の下面を２点で支持するように、適宜な間隔をおいて形成されている。
【００１３】
前記向こう側保持部１８は、カード状スタンド体１００の上下方向における中間領域に形成された折り返し部１２において折り返して下方にのばした下方領域部１４から離れて形成され、カード状スタンド体１００の横方向における中間領域に形成された折り曲げ部２０を介して、左右に分かれた第１向こう側保持部５０と第２向こう側保持部５２とを有している。
前記第１向こう側保持部５０と第２向こう側保持部５２とは、カード状スタンド体１００を折り曲げ部２０において折り曲げられたときに、手前側面又は向こう側面が向き合って起立するように構成されている。
第１向こう側保持部５０と第２向こう側保持部５２とは、板状通信機器Ｔの背面の上部を２点で保持するように、適宜な間隔をおいて形成されている。
【００１４】
前記折り返し部１２は、折り曲げ部２０を介して、左右に分かれた第１折り返し部９０と第２折り返し部９２とを有し、前記第１折り返し部９０と第２折り返し部９２とが向き合って、板状写真機又は板状通信機器Ｔの下端を保持するように構成されている。
【００１５】
前記第１手前側保持部４０と第２手前側保持部４２とは、カード状スタンド体１００の左右端に分かれて形成されている。
【００１６】
第１手前側保持部４０は、第１内側縁４０ａと上縁４０ｂとを備えている。
第１内側縁４０ａは、その下部の近傍において、板状通信機器Ｔの前面の左側の下部を支持するように、折り返し部１２（第１折り返し部９０）と交差する。
第２手前側保持部４２は、第２内側縁４２ａと上縁４２ｂとを備えている。
第２内側縁４２ａは、その下部の近傍において、板状通信機器Ｔの前面の右側の下部を支持するように、折り返し部１２（第２折り返し部９２）と交差する。
【００１７】
前記第１向こう側保持部５０と第２向こう側保持部５２とは、前記左右に分かれた第１手前側保持部４０と第２手前側保持部４２との間に形成されている。
【００１８】
向こう側保持部１８は、第１向こう側保持部５０に形成された左側側縁５０ａと、第２向こう側保持部５２に形成された右側側縁５２ａとを備えている。
左側側縁５０ａは、板状通信機器Ｔの背面の左側の上部を支持するように、折り返し部１２（第１折り返し部９０）と交差し、右側側縁５２ａは、板状通信機器Ｔの背面の右側の上部を支持するように、折り返し部１２（第２折り返し部９２）と交差する。
【００１９】
向こう側保持部１８は、第１向こう側保持部５０において、上方で左側側縁５０ａに続く第１斜辺部５０ｂと、第１向こう側保持部５２において、上方で右側側縁５２ａに続く第２斜辺部５２ｂとを備える。第１斜辺部５０ｂと第１斜辺部５２ｂとは、適宜な間隔をおいて離れており、板状通信機器Ｔの背面を支持する。
第１斜辺部５０ｂと第１斜辺部５２ｂとは、板状通信機器Ｔを載置したときの板状通信機器Ｔの傾き角度を撮影に適するように傾けるために、向こう側に向いて傾いている。
【００２０】
前記折り返し部１２は、第１手前側保持部４０及び第２手前側保持部４２と、第１向こう側保持部５０及び第２向こう側保持部５２との間において形成されている。
折り返し部１２は、板状通信機器Ｔの下部を２点で保持するように適宜な間隔をおいて形成された、第１折り返し部９０と第２折り返し部９２とを備える。
【００２１】
折り返し部１２を構成する左側の第１折り返し部９０は、第１手前側保持部４０と第１向こう側保持部５０との間に形成されている。
第１折り返し部９０は、カード状スタンド１０を立てたとき、水平になり、板状通信機器Ｔの下部の左側を支持する。
折り返し部１２を構成する右側の第２折り返し部９２は、第２手前側保持部４２と第２向こう側保持部５２との間に形成されている。
第２折り返し部９２は、カード状スタンド１０を立てたとき、水平になり、板状通信機器Ｔの下部の右側を支持する。
【００２２】
前記カード状スタンド体１００は、折り曲げ部２０を挟んで左右に分かれた折り返し部１２を形成され、折り曲げ部２０を挟んで隣接する前記折り返し部１２の端部間において、折り返し部１２より上方に向いてのび且つ折り曲げ部２０を挟んで隣接する端部間に跨ってのびる第１切り離し部１１０を形成されるとともに、前記折り返し部１２の隣接する端部とは反対側の端部とカード状スタンド体１００の左右端との間に跨ってのびる第２切り離し部１２０及び第３切り離し部１３０を形成されている。
【００２３】
第１切り離し部１１０は、下方領域１４０と向こう側保持部領域１６０とを区画する。
下方領域１４０は、カード状スタンド体１００を展開した状態において、第１切り離し部１１０の上方に位置し、向こう側保持部領域１６０は、第１切り離し部１１０の下方に位置する。
第２切り離し部１２０は、手前側保持部領域１５０（第１手前側保持部領域１５２）と下方領域１４０（第１下方領域１７０）とを区画する。
第１下方領域１７０は、カード状スタンド体１００を展開した状態において、第２切り離し部１２０の上方に位置し、第１手前側保持部領域１５２は、第２切り離し部１２０の下方に位置する。
第３切り離し部１３０は、手前側保持部領域１５０（第２手前側保持部領域１５４）と下方領域１４０（第２下方領域１８０）とを区画する。
第２下方領域１８０は、カード状スタンド体１００を展開した状態において、第３切り離し部１３０の上方に位置し、第２手前側保持部領域１５４は、第３切り離し部１３０の下方に位置する。
【００２４】
第１切り離し部１１０は、第１向こう側保持部５０の左側側縁５０ａを形成する領域が第１折り返し部９０の右端と連結しており、第２向こう側保持部５２の右側側縁５２ａを形成する領域が第２折り返し部９２の左端を連結している。
第１切り離し部１１０は、第１向こう側保持部５０の上縁５０ｃを形成する領域が第１向こう側保持部５０の第１斜辺部５０ｂを形成する領域と連結しており、第２向こう側保持部５２の上縁５２ｃを形成する領域が第２向こう側保持部５２の第２斜辺部５２ｂを形成する領域と連結している。
第１向こう側保持部５０の上縁５０ｃと第２向こう側保持部５２の上縁５２ｃとは連結している。
而して、第１切り離し部１１０は、切り離したときに、向こう側保持部１８の形状（左側側縁５０ａ，第１斜辺部５０ｂ，上縁５０ｃ，右側側縁５２ａ，第２斜辺部５２ｂ及び上縁５２ｃを含む）を形成する。
【００２５】
第２切り離し部１２０は、第１手前側保持部４０の上縁４０ｂを形成する領域が左端縁１１８に至り、第１手前側保持部４０の第１内側縁４０ａを形成する領域が第１折り返し部９０の左端に連結されている。
第２切り離し部１２０は、第１内側縁４０ａを形成する領域が第１折り返し部９０の長さに相当する間隔をおいて第１切り離し部１１０の左側側縁５０ａを形成する領域と並んで形成されており、第１切り離し部１１０及び第２切り離し部１２０を切り離したときに、第１折り返し部９０において、カード状スタンド体１００を折り返すことができる。
【００２６】
第３切り離し部１３０は、第２手前側保持部４２の上縁４２ｂを形成する領域が右端縁１１６に至り、第２手前側保持部４２の第２内側縁４２ａを形成する領域が第２折り返し部９２の右端に連結されている。
第３切り離し部１３０は、第２内側縁４２ａを形成する領域が第２折り返し部９２の長さに相当する間隔をおいて第１切り離し部１１０の右側側縁５２ａを形成する領域と並んで形成されており、第１切り離し部１１０及び第３切り離し部１３０を切り離したときに、第２折り返し部９２において、カード状スタンド体１００を折り返すことができる。
【００２７】
カード状スタンド体１００の上端縁１１２と下端縁１１４とは、平行であり、カード状スタンド体１００の上端縁１１２と下端縁１１４との間に形成された第１折り返し部９０及び第２折り返し部９２は、上端縁１１２及び下端縁１１４と平行である。
【００２８】
下方領域部１４は、カード状スタンド体１００を展開した状態においては、カード状スタンド体１００の上方に位置しており、第１折り返し部９０及び第２折り返し部９２において折り返したときに下方に位置して脚部２２を形成する。
カード状スタンド体１００を展開した状態において上方に位置する下方領域１４０の第１下方領域１７０は、水平方向にのびる折り返し部１２（第１折り返し部９０）において折り返して第１脚部８０を形成する。
カード状スタンド体１００を展開した状態において上方に位置する下方領域１４０の第２下方領域１８０は、水平方向にのびる折り返し部１２（第２折り返し部９２）において折り返して第２脚部８２を形成する。
【００２９】
前記下方領域部１４は、水平方向にのびる折り返し部１２において折り返してカード状スタンド体１００の下端縁より下方に突き出させた脚部２２を構成する。
【００３０】
前記下方領域部１４は、カード状スタンド体１００の上下方向における中間領域に形成された折り返し部１２を介して、それぞれ下方にのびる手前側の第１下方領域部３０と向こう側の第２下方領域部３２とを構成している。
前記手前側の第１下方領域部３０及び向こう側の第２下方領域部３２は、横方向における中間領域に形成された折り曲げ部２０を介して、左右に分かれた第１脚部８０と第２脚部８２とを構成している。
【００３１】
第１脚部８０及び第２脚部８２は、その下部において、接地するときに接地面の凹凸に対応するために、波型ないしはΩ字型に形成されている。
【００３２】
このカード状スタンド１０を組み立てるための、カード状スタンド体１００は、展開した状態における構成が、次の構成である。
カード状スタンド体１００は、名刺大の、方形状の腰があり弾力性を有する板状体によって構成されている。
カード状スタンド体１００は、坪量が４５０ｇ／ｍ2以上で厚さが０．５４５ｍｍ以上の硬質紙である。
カード状スタンド体１００を構成する硬質紙の抄紙方向は、折り曲げ部２０に沿っている。
【００３３】
カード状スタンド体１００は、上端縁１１２と下端縁１１４とが平行である。
カード状スタンド体１００は、右端縁１１６と左端縁１１８とが平行である。
カード状スタンド体１００の上端縁１１２及び下端縁１１４は、折り返し部１２（第１折り返し部９０及び第２折り返し部９２）と平行である。
【００３４】
カード状スタンド体１００は、幅方向における中間領域に折り曲げ部２０を形成され、且つ、上下方向における中間領域に折り返し部１２を形成されている。
カード状スタンド体１００は、折り返し部１２及び折り曲げ部２０において折り曲げられたとき、元の平板状に戻ろうとする復元性を有している。
【００３５】
カード状スタンド体１００は、カード状スタンド体１００の上下方向における中間領域に形成された折り返し部１２において折り返して下方にのばす下方領域１４０と、カード状スタンド体１００の上下方向における中間領域に形成された折り返し部１２において折り返したときにおいて、折り返し部１２より上方に突き出す、手前側保持部領域１５０及び向こう側保持部領域１６０とを備える。
【００３６】
前記下方領域１４０は、カード状スタンド体１００の横方向における中間領域に形成された折り曲げ部２０を介して、左右に分かれた第１下方領域１７０と第２下方領域１８０とを有している。
前記第１下方領域１７０と第２下方領域１８０とは、カード状スタンド体１００を折り曲げ部２０において折り曲げられたときに、手前側面又は向こう側面が向き合って起立して第１下方領域部３０及び第２下方領域部３２を形成するように構成されている。
【００３７】
前記手前側保持部領域１５０は、カード状スタンド体１００の横方向における中間領域に形成された折り曲げ部２０を介して、左右に分かれた第１手前側保持部領域１５２と第２手前側保持部領域１５４とを有している。
【００３８】
前記第１手前側保持部領域１５２と第２手前側保持部領域１５４とは、カード状スタンド体１００を折り曲げ部２０において折り曲げられたときに、手前側面又は向こう側面が向き合って起立して第１手前側保持部４０を形成するように構成されている。
第１手前側保持部領域１５２は、カード状スタンド体１００を折り曲げ部２０において折り曲げられたときに、手前側面又は向こう側面が向き合って起立して第１手前側保持部４０を形成する。
第２手前側保持部領域１５４は、カード状スタンド体１００を折り曲げ部２０において折り曲げられたときに、手前側面又は向こう側面が向き合って起立して第２手前側保持部４２を形成する。
【００３９】
前記向こう側保持部領域１６０は、前記下方領域１４０から離れて形成され、カード状スタンド体１００の横方向における中間領域に形成された折り曲げ部２０を介して、左右に分かれた第１向こう側保持部領域１６２と第２向こう側保持部領域１６４とを有している。
前記第１向こう側保持部領域１６２と第２向こう側保持部領域１６４とは、カード状スタンド体１００を折り曲げ部２０において折り曲げられたときに、手前側面又は向こう側面が向き合って起立して第１向こう側保持部５０及び第２向こう側保持部５２を形成するように構成されている。
【００４０】
前記カード状スタンド体１００は、折り曲げ部２０を挟んで左右に分かれた折り返し部１２を形成され、折り曲げ部２０を挟んで隣接する前記折り返し部１２の端部間において、折り返し部１２より上方に向いてのび且つ折り曲げ部２０を挟んで隣接する端部間に跨ってのびる第１切り離し部１１０を形成されて、下方領域１４０と保持部領域（手前側保持部領域１５０及び向こう側保持部領域１６０）とに分割されている。
それとともに、カード状スタンド体１００は、前記折り返し部１２の隣接する端部とは反対側の端部とカード状スタンド体１００の左右端との間に跨ってのびる第２切り離し部１２０及び第３切り離し部１３０を形成されて、下方領域１４０と保持部領域（手前側保持部領域１５０及び向こう側保持部領域１６０）とに分割されている。
【００４１】
第１切り離し部１１０は、左側縁が第１向こう側保持部５０の左側側縁５０ａ及び第１斜辺部５０ｂに対応した左側側縁及び第１斜辺部を形成されている。
第１切り離し部１１０は、右側縁が第２向こう側保持部５２の右側側縁５２ａ及び第２斜辺部５２ｂに対応した右側側縁及び第２斜辺部を形成されている。
第１切り離し部１１０は、第１斜辺部及び第２斜辺部によって、板状通信機器Ｔの荷重に耐える耐荷重性を増している。
【００４２】
カード状スタンド１０を組み立てるときには、下方領域１４０は、第１切り離し部１１０及び第２切り離し部１２０において手前側保持部領域１５０及び向こう側保持部領域１６０と切り離される。
そして、下方領域１４０は、第１折り返し部９０及び第２折り返し部９２において折り曲げられて、向こう側に折り返される。
そして、下方領域１４０及び向こう側保持部領域１６０は、折り曲げ部２０において手前側から見て谷折りされる。
【００４３】
カード状スタンド１０は、下方領域１４０及び向こう側保持部領域１６０すなわち手前側保持部１６及び向こう側保持部１８の手前側面を向き合うように折り曲げ部２０を頂点とした倒Ｖ字型にして、第１下方領域１７０からなる第１下方領域部３０及び第２下方領域１８０からなる第２下方領域部３２すなわち下方領域部１４からなる脚部２２の下部を接地させて立てられる。
そして、第１折り返し部９０及び第２折り返し部９２すなわち折り返し部１２の上に跨るように、横長にした板状通信機器Ｔの下部を載置し、第１向こう側保持部５０の第１斜辺部５０ｂ及び第２向こう側保持部５２の第２斜辺部５２ｂに板状通信機器Ｔの背面をもたせかける。板状通信機器Ｔの下部は、第１手前側保持部４０の第１内側縁４０ａ及び第２手前側保持部４２の第２内側縁４２ａに突き当たり、カード状スタンド１０に載置される。そのとき、板状通信機器Ｔのカメラのレンズ部が手前側保持部１６にさえぎらないようにする。
１枚のカード状スタンド体を折り曲げるだけで、板状通信機器の前面下部と後面を挟み込み、カメラとして利用するときの三脚となるスタンドを作成できる。
【００４４】
この実施の形態によれば、一枚の硬質紙からなるカード状スタンド体１００を折り曲げるだけで、硬質紙の持つ形状を保持しようとする特性を利用し板状通信機器Ｔの前面下部と後面下部を挟み込み、板状通信機器Ｔを保持できることから、安価で誰でも簡易に作成できる携帯電話用スタンドが提供できる。
【００４５】
別の実施の形態である、タブレット、スマートフォンを立てる三脚として利用できるカード状スタンド３１０は、次のように構成されている。
カード状スタンド体４００は、カード状スタンド体４００の横方向における中間領域に形成された折り曲げ部３２０を介して左右に分かれた脚部３２２と、カード状スタンド体４００の上下方向における中間領域に形成された折り返し部３１２において折り返したときにおいて、折り返し部３１２より上方に突き出た、板状写真機又は板状通信機器Ｔの下部を保持する下部保持部３１６及び板状写真機又は板状通信機器Ｔの上部を保持する上部保持部３１８とを備える。
【００４６】
前記脚部３２２は、カード状スタンド体４００の横方向における中間領域に形成された折り曲げ部３２０を介して、左右に分かれた手前側の第１脚部３８０と手前側の第２脚部３８２とを有している。
前記脚部３２２は、カード状スタンド体４００の横方向における中間領域に形成された折り曲げ部３２０を介して、向こう側の第１脚部３８４と向こう側の第２脚部３８６とを有している。
前記手前側の第１脚部３８０と手前側の第２脚部３８２とは、カード状スタンド体４００を折り曲げ部３２０において折り曲げられたときに、手前側面（又は向こう側面）が向き合って起立するように構成されている。
向こう側の第１脚部３８４と向こう側の第２脚部３８６とは、カード状スタンド体４００を折り曲げ部３２０において折り曲げられたときに、手前側面（又は向こう側面）が向き合って起立するように構成されている。
手前側の第１脚部３８０と向こう側の第１脚部３８４とは、適宜な間隔をおいて向き合い、手前側の第２脚部３８２と向こう側の第２脚部３８６とは、適宜な間隔をおいて向き合う。
【００４７】
前記下部保持部３１６は、カード状スタンド体４００の横方向における中間領域に形成された折り曲げ部３２０を介して、左右に分かれた第１下部保持部３４０と第２下部保持部３４２とを有している。
前記第１下部保持部３４０と第２下部保持部３４２とは、カード状スタンド体４００を折り曲げ部３２０において折り曲げられたときに、手前側面又は向こう側面が向き合って起立するように構成されている。
第１下部保持部３４０と第２下部保持部３４２とは、板状通信機器Ｔの前面の下面を２点で支持するように、適宜な間隔をおいて形成されている。
【００４８】
前記上部保持部３１８は、前記脚部３２２から離れて形成され、カード状スタンド体４００の横方向における中間領域に形成された折り曲げ部３２０を介して、左右に分かれた第１上部保持部３５０と第２上部保持部３５２とを有している。
前記第１上部保持部３５０と第２上部保持部３５２とは、カード状スタンド体４００を折り曲げ部３２０において折り曲げられたときに、手前側面又は向こう側面が向き合って起立するように構成されている。
第１上部保持部３５０と第２上部保持部３５２とは、板状通信機器Ｔの背面の上部を２点で保持するように、適宜な間隔をおいて形成されている。
【００４９】
前記折り返し部３１２は、折り曲げ部３２０を介して、左右に分かれた第１折り返し部３９０と第２折り返し部３９２とを有し、前記第１折り返し部３９０と第２折り返し部３９２とが向き合って、板状写真機又は板状通信機器Ｔの下端を保持するように構成されている。
【００５０】
前記第１下部保持部３４０と第２下部保持部３４２とは、カード状スタンド体４００の左右端に分かれて形成されている。
【００５１】
第１下部保持部３４０は、第１内側縁３４０ａと上縁３４０ｂとを備えている。
第１内側縁３４０ａは、その下部の近傍において、板状通信機器Ｔの前面の左側の下部を支持するように、折り返し部３１２（第１折り返し部３９０）と交差する。
第２下部保持部３４２は、第２内側縁３４２ａと上縁３４２ｂとを備えている。
第２内側縁３４２ａは、その下部の近傍において、板状通信機器Ｔの前面の右側の下部を支持するように、折り返し部３１２（第２折り返し部３９２）と交差する。
【００５２】
向こう側保持部３１８は、第１上部保持部３５０に形成された左側側縁３５０ａと、第２上部保持部３５２に形成された右側側縁３５２ａとを備えている。
左側側縁３５０ａは、板状通信機器Ｔの背面の左側の上部を支持するように、折り返し部３１２（第１折り返し部３９０）と交差し、右側側縁３５２ａは、板状通信機器Ｔの背面の右側の上部を支持するように、折り返し部３１２（第２折り返し部３９２）と交差する。
【００５３】
向こう側保持部３１８は、第１上部保持部３５０において、上方で左側側縁３５０ａに続く第１斜辺部３５０ｂと、第２上部保持部３５２において、上方で右側側縁３５２ａに続く第２斜辺部３５２ｂとを備える。第１斜辺部３５０ｂと第１斜辺部３５２ｂとは、適宜な間隔をおいて離れており、板状通信機器Ｔの背面を支持する。
第１斜辺部３５０ｂと第１斜辺部３５２ｂとは、板状通信機器Ｔを載置したときの板状通信機器Ｔの傾き角度を撮影に適するように傾けるために、向こう側に向いて傾いている。
【００５４】
前記折り返し部３１２は、第１下部保持部３４０及び第２下部保持部３４２と、第１上部保持部３５０及び第２上部保持部３５２との間において形成されている。
折り返し部３１２は、板状通信機器Ｔの下部を２点で保持するように適宜な間隔をおいて形成された、第１折り返し部３９０と第２折り返し部３９２とを備える。
【００５５】
折り返し部３１２を構成する左側の第１折り返し部３９０は、第１下部保持部３４０と第１上部保持部３５０との間に形成されている。
第１折り返し部３９０は、カード状スタンド３１０を立てたとき、水平になり、板状通信機器Ｔの下部の左側を支持する。
折り返し部３１２を構成する右側の第２折り返し部３９２は、第２下部保持部３４２と第２上部保持部３５２との間に形成されている。
第２折り返し部３９２は、カード状スタンド３１０を立てたとき、水平になり、板状通信機器Ｔの下部の右側を支持する。
【００５６】
前記カード状スタンド体４００は、折り曲げ部３２０を挟んで左右に分かれた折り返し部３１２を形成され、折り曲げ部３２０を挟んで隣接する前記折り返し部３１２の端部間において、折り返し部３１２より上方に向いてのび且つ折り曲げ部３２０を挟んで隣接する端部間に跨ってのびる第１切り離し部４１０を形成されるとともに、前記折り返し部３１２の隣接する端部とは反対側の端部とカード状スタンド体４００の左右端との間に跨ってのびる第２切り離し部４２０及び第３切り離し部４３０を形成されている。
【００５７】
第１切り離し部４１０は、脚部領域４４０と上部保持部領域４６０とを区画する。
脚部領域４４０は、カード状スタンド体４００を展開した状態において、第１切り離し部４１０の上方に位置し、上部保持部領域４６０は、第１切り離し部４１０の下方に位置する。
第２切り離し部４２０は、下部保持部領域４５０（第１下部保持部領域４５２）と脚部領域４４０（手前側の第１脚部領域４７０）とを区画する。
手前側の第１脚部領域４７０は、カード状スタンド体４００を展開した状態において、第２切り離し部４２０の上方に位置し、第１下部保持部領域４５２は、第２切り離し部４２０の下方に位置する。
第３切り離し部４３０は、下部保持部領域４５０（第２下部保持部領域４５４）と脚部領域４４０（手前側の第２脚部領域４８０）とを区画する。
手前側の第２脚部領域４８０は、カード状スタンド体４００を展開した状態において、第３切り離し部４３０の上方に位置し、第２下部保持部領域４５４は、第３切り離し部４３０の下方に位置する。
【００５８】
第１切り離し部４１０は、第１上部保持部３５０の左側側縁３５０ａを形成する領域が第１折り返し部３９０の右端と連結しており、第２上部保持部３５２の右側側縁３５２ａを形成する領域が第２折り返し部３９２の左端を連結している。
第１切り離し部４１０は、第１上部保持部３５０の上縁３５０ｃを形成する領域が第１上部保持部３５０の第１斜辺部３５０ｂを形成する領域と連結しており、第２上部保持部３５２の上縁３５２ｃを形成する領域が第２上部保持部３５２の第２斜辺部３５２ｂを形成する領域と連結している。
第１上部保持部３５０の上縁３５０ｃと第２上部保持部３５２の上縁３５２ｃとは連結している。
而して、第１切り離し部４１０は、切り離したときに、向こう側保持部３１８の形状（左側側縁３５０ａ，第１斜辺部３５０ｂ，上縁３５０ｃ，右側側縁３５２ａ，第２斜辺部３５２ｂ及び上縁３５２ｃを含む）を形成する。
【００５９】
第２切り離し部４２０は、第１下部保持部３４０の上縁３４０ｂを形成する領域が左端縁４１８に至り、第１下部保持部３４０の第１内側縁３４０ａを形成する領域が第１折り返し部３９０の左端に連結されている。
第２切り離し部４２０は、第１内側縁３４０ａを形成する領域が第１折り返し部３９０の長さに相当する間隔をおいて第１切り離し部４１０の左側側縁３５０ａを形成する領域と並んで形成されており、第１切り離し部４１０及び第２切り離し部４２０を切り離したときに、第１折り返し部３９０において、カード状スタンド体４００を折り返すことができる。
【００６０】
第３切り離し部４３０は、第２下部保持部３４２の上縁３４２ｂを形成する領域が右端縁４１６に至り、第２下部保持部３４２の第２内側縁３４２ａを形成する領域が第２折り返し部３９２の右端に連結されている。
第３切り離し部４３０は、第２内側縁３４２ａを形成する領域が第２折り返し部３９２の長さに相当する間隔をおいて第１切り離し部４１０の右側側縁３５２ａを形成する領域と並んで形成されており、第１切り離し部４１０及び第３切り離し部４３０を切り離したときに、第２折り返し部３９２において、カード状スタンド体４００を折り返すことができる。
【００６１】
カード状スタンド体４００を展開した状態において上方に位置する脚部領域４４０の手前側の第１脚部領域４７０は、水平方向にのびる折り返し部３１２（第１折り返し部３９０）において折り返して、手前側の第１脚部３８０を形成する。
カード状スタンド体４００を展開した状態において上方に位置する脚部領域４４０の手前側の第２脚部領域４８０は、水平方向にのびる折り返し部３１２（第２折り返し部３９２）において折り返して、手前側の第２脚部３８２を形成する。
脚部領域４４０の向こう側の第１脚部領域４７２は、向こう側の第１脚部３８４を形成する。
脚部領域４４０の向こう側の第２脚部領域４８２は、向こう側の第２脚部３８６を形成する。
【００６２】
カード状スタンド体４００の上端縁４１２と下端縁４１４とは、平行であり、カード状スタンド体４００の上端縁４１２と下端縁４１４との間の中央に形成された第１折り返し部３９０及び第２折り返し部３９２は、上端縁４１２及び下端縁４１４と平行である。
手前側の第１脚部領域４７０及び手前側の第２脚部領域４８０は、カード状スタンド体４００の上下方向における中間領域に形成された折り返し部３１２を介して形成された向こう側の第１脚部領域４７２及び向こう側の第２脚部領域４８２と対向することによって、脚部３２２を構成している。
【００６３】
手前側の第１脚部領域４７０及び手前側の第２脚部領域４８０は、カード状スタンド体４００を展開した状態においては、カード状スタンド体４００の上方に位置しており、第１折り返し部３９０及び第２折り返し部３９２において折り返したときに下方に位置して脚部３２２を形成する。
前記手前側の第１脚部領域４７０及び手前側の第２脚部領域４８０は、横方向における中間領域に形成された折り曲げ部３２０を介して、左右に分かれた手前側の第１脚部３８０と手前側の第２脚部３８２とを構成している。
向こう側の第１脚部領域４７２及び向こう側の第２脚部領域４８２は、横方向における中間領域に形成された折り曲げ部３２０を介して、左右に分かれた向こう側の第１脚部３８４と向こう側の第２脚部３８６とを構成している。
【００６４】
手前側の第１脚部３８０及び手前側の第２脚部３８２は、その下部において、接地するときに接地面の凹凸に対応するために、波型ないしはΩ字型に形成されている。
向こう側の第１脚部３８４及び向こう側の第２脚部３８６は、その下部において、接地するときに接地面の凹凸に対応するために、波型ないしはΩ字型に形成されている。
【００６５】
このカード状スタンド３１０を組み立てるための、カード状スタンド体４００は、展開した状態における構成が、次の構成である。
カード状スタンド体４００は、方形状の腰があり弾力性を有する板状体で構成されている。
【００６６】
カード状スタンド体４００は、上端縁４１２と下端縁４１４とが平行である。
カード状スタンド体４００は、右端縁４１６と左端縁４１８とが平行である。
カード状スタンド体４００の上端縁４１２及び下端縁４１４は、折り返し部３１２（第１折り返し部３９０及び第２折り返し部３９２）と平行である。
【００６７】
カード状スタンド体４００は、幅方向における中間領域に折り曲げ部３２０を形成され、且つ、上下方向における中間領域に折り返し部３１２を形成されている。
【００６８】
カード状スタンド体４００は、カード状スタンド体４００の横方向における中間領域に形成された折り曲げ部３２０を介して左右に分かれた脚部領域４４０と、カード状スタンド体４００の上下方向における中間領域に形成された折り返し部３１２において折り返したときにおいて、折り返し部３１２より上方に突き出た、板状写真機又は板状通信機器Ｔの下部を保持する下部保持部領域４５０及び板状写真機又は板状通信機器Ｔの上部を保持する上部保持部領域４６０とを備えている。
【００６９】
前記脚部領域４４０は、カード状スタンド体４００の横方向における中間領域に形成された折り曲げ部３２０を介して、左右に分かれた手前側の第１脚部領域４７０と手前側の第２脚部領域４８０とを有している。
手前側の第１脚部領域４７０及び手前側の第２脚部領域４８０は、カード状スタンド体４００を展開した状態において、上方領域に形成されている。
前記脚部領域４４０は、カード状スタンド体４００の横方向における中間領域に形成された折り曲げ部３２０を介して、左右に分かれた向こう側の第１脚部領域４７２と向こう側の第２脚部領域４８２とを有している。
向こう側の第１脚部領域４７２及び向こう側の第２脚部領域４８２は、カード状スタンド体４００を展開した状態において、下方領域に形成されている。
前記手前側の第１脚部領域４７０と手前側の第２脚部領域４８０とは、カード状スタンド体４００を折り曲げ部３２０において折り曲げられたときに、手前側面（又は向こう側面）が向き合って起立して手前側の第１脚部３８０及び手前側の第２脚部３８２を形成するように構成されている。
向こう側の第１脚部領域４７２と向こう側の第２脚部領域４８２とは、カード状スタンド体４００を折り曲げ部３２０において折り曲げられたときに、手前側面（又は向こう側面）が向き合って起立して向こう側の第１脚部３８４及び向こう側の第２脚部３８６を形成するように構成されている。
【００７０】
手前側の第１脚部領域４７０及び手前側の第２脚部領域４８０は、カード状スタンド体４００の上下方向における中間領域に形成された折り返し部３１２において折り返して下方にのばして、手前側の第１脚部３８０及び手前側の第２脚部３８２を形成する。
手前側の第１脚部領域４７０と向こう側の第１脚部領域４７２とは、適宜な間隔をおいて向き合い、手前側の第２脚部領域４８０と向こう側の第２脚部領域４８２とは、適宜な間隔をおいて向き合う。
手前側の第１脚部領域４７０，向こう側の第１脚部領域４７２，手前側の第２脚部領域４８０及び向こう側の第２脚部領域４８２は、その下部が同じ高さ位置において接地する、手前側の第１脚部３８０，手前側の第２脚部３８２，向こう側の第１脚部３８４及び向こう側の第２脚部３８６を形成する。
【００７１】
前記下部保持部領域４５０は、カード状スタンド体４００の横方向における中間領域に形成された折り曲げ部３２０を介して、左右に分かれた第１下部保持部領域４５２と第２下部保持部領域４５４とを有している。
前記第１下部保持部領域４５２と第２下部保持部領域４５４とは、カード状スタンド体４００を折り曲げ部３２０において折り曲げられたときに、手前側面又は向こう側面が向き合って起立して第１下部保持部３４０及び第２下部保持部３４２を形成するように構成されている。
【００７２】
前記上部保持部領域４６０は、前記カード状スタンド体４００の上下方向における中間領域に形成された折り返し部３１２において折り返して下方にのばした脚部領域４４０から離れて形成され、カード状スタンド体４００の横方向における中間領域に形成された折り曲げ部３２０を介して、左右に分かれた第１上部保持部領域４６２と第２上部保持部領域４６４とを有している。
前記第１上部保持部領域４６２と第２上部保持部領域４６４とは、カード状スタンド体４００を折り曲げ部３２０において折り曲げられたときに、手前側面又は向こう側面が向き合って起立して第１上部保持部３５０及び第２上部保持部３５２を形成するように構成されている。
【００７３】
前記カード状スタンド体４００は、折り曲げ部３２０を挟んで左右に分かれた折り返し部３１２を形成され、折り曲げ部３２０を挟んで隣接する前記折り返し部３１２の端部間において、折り返し部３１２より上方に向いてのび且つ折り曲げ部３２０を挟んで隣接する端部間に跨ってのびる第１切り離し部４１０を形成されて、脚部領域４４０と保持部領域（下部保持部領域４５０及び上部保持部領域４６０）とに分割されている。
それとともに、カード状スタンド体４００は、前記折り返し部３１２の隣接する端部とは反対側の端部とカード状スタンド体４００の左右端との間に跨ってのびる第２切り離し部４２０及び第３切り離し部４３０を形成されて、脚部領域４４０と保持部領域（下部保持部領域４５０及び上部保持部領域４６０）とに分割されている。
【００７４】
第１切り離し部４１０は、左側縁が第１上部保持部３５０の左側側縁３５０ａ及び第１斜辺部３５０ｂに対応した左側側縁及び第１斜辺部を形成されている。
第１切り離し部４１０は、右側縁が第２上部保持部３５２の右側側縁３５２ａ及び第２斜辺部３５２ｂに対応した右側側縁及び第２斜辺部を形成されている。
第１切り離し部４１０は、第１斜辺部及び第２斜辺部によって、板状通信機器Ｔの荷重に耐える耐荷重性を増している。
【００７５】
カード状スタンド３１０を組み立てるときには、脚部領域４４０は、第１切り離し部４１０及び第２切り離し部４２０において下部保持部領域４５０及び上部保持部領域４６０と切り離される。
そして、脚部領域４４０は、第１折り返し部３９０及び第２折り返し部３９２において折り曲げられて、向こう側に折り返される。
そして、脚部領域４４０及び上部保持部領域４６０は、折り曲げ部３２０において手前側から見て谷折りされる。
【００７６】
カード状スタンド３１０は、脚部領域４４０及び上部保持部領域４６０すなわち手前側保持部３１６及び向こう側保持部３１８の手前側面を向き合うように折り曲げ部３２０を頂点とした倒Ｖ字型にして、手前側の第１脚部領域４７０からなる手前側の第１脚部３８０及び手前側の第２脚部領域４８０からなる手前側の第２脚部３８２並びに、向こう側の第１脚部領域４７２からなる向こう側の第１脚部３８４及び向こう側の第２脚部領域４８２からなる向こう側の第２脚部３８６によって構成される脚部３２２の下部を接地させて立てられる。
そして、第１折り返し部３９０及び第２折り返し部３９２すなわち折り返し部３１２の上に跨るように、横長にした板状通信機器Ｔの下部を載置し、第１上部保持部３５０の第１斜辺部３５０ｂ及び第２上部保持部３５２の第２斜辺部３５２ｂに板状通信機器Ｔの背面をもたせかける。板状通信機器Ｔの下部は、第１下部保持部３４０の第１内側縁３４０ａ及び第２下部保持部３４２の第２内側縁３４２ａに突き当たり、カード状スタンド３１０に載置される。そのとき、板状通信機器Ｔのカメラのレンズ部が第１下部保持部３４０及び第２下部保持部３４２にさえぎらないようにする。
１枚のカード状スタンド体を折り曲げるだけで、板状通信機器の前面下部と後面を挟み込み、カメラとして利用するときの三脚となるスタンドを作成できる。
【００７７】
この実施の形態によれば、一枚の硬質紙からなるカード状スタンド体４００を折り曲げるだけで、硬質紙の持つ形状を保持しようとする特性を利用し板状通信機器Ｔの前面下部と後面下部を挟み込み、板状通信機器Ｔを保持できることから、安価で誰でも簡易に作成できる携帯電話用スタンドが提供できる。
【符号の説明】
【００７８】
１０，３１０  カード状スタンド
１２，３１２  折り返し部
１４  下方領域部
１６，３１６  手前側保持部
１８，３１８  向こう側保持部
２０，３２０  折り曲げ部
２２，３２２  脚部
３０  第１下方領域部
３２  第２下方領域部
４０  第１手前側保持部
４０ａ，３４０ａ  第１内側縁
４０ｂ，４２ｂ，３４０ｂ，３４２ｂ  （第１手前側保持部の）上縁
４２  第２手前側保持部
４２ａ，３４２ａ  第２内側縁
５０  第１向こう側保持部
５０ａ，３５０ａ  左側側縁
５０ｂ，３５０ｂ  第１斜辺部
５０ｃ，５２ｃ，３５０ｃ，３５２ｃ  （向こう側保持部の）上縁
５２  第２向こう側保持部
５２ａ，３５２ａ  右側側縁
５２ｂ，３５２ｂ  第２斜辺部
８０  第１脚部
８２  第２脚部
９０，３９０  第１折り返し部
９２，３９２  第２折り返し部
１００，４００  カード状スタンド体
１１０，４１０  第１切り離し部
１１２，４１２  （カード状スタンド体の）上端縁
１１４，４１４  （カード状スタンド体の）下端縁
１１６，４１６  （カード状スタンド体の）右端縁
１１８，４１８  （カード状スタンド体の）左端縁
１２０，４２０  第２切り離し部
１３０，４３０  第３切り離し部
１４０  下方領域
１５０  手前側保持部領域
１５２  第１手前側保持部領域
１５４  第２手前側保持部領域
１６０  向こう側保持部領域
１６２  第１向こう側保持部領域
１６４  第２向こう側保持部領域
１７０  第１下方領域
１８０  第２下方領域
３１６  下部保持部
３１８  上部保持部
３４０  第１下部保持部
３４２  第２下部保持部
３５０  第１上部保持部
３５２  第２上部保持部
３８０  手前側の第１脚部
３８２  手前側の第２脚部
３８４  向こう側の第１脚部
３８６  向こう側の第２脚部
４４０  脚部領域
４５０  下部保持部領域
４５２  第１下部保持部領域
４５４  第２下部保持部領域
４６０  上部保持部領域
４６２  第１上部保持部領域
４６４  第２上部保持部領域
４７０  手前側の第１脚部領域
４７２  向こう側の第１脚部領域
４８０  手前側の第２脚部領域
４８２  向こう側の第２脚部領域
Ｔ  板状通信機器
【図１】
2015128505.tif 000003
【図２】
2015128505.tif 000004
【図３Ａ】
2015128505.tif 000005
【図３Ｂ】
2015128505.tif 000006
【図３Ｃ】
2015128505.tif 000007
【図３Ｄ】
2015128505.tif 000008
【図４】
2015128505.tif 000009
【図５】
2015128505.tif 000010
【図６】
2015128505.tif 000011
【図７】
2015128505.tif 000012
【図８】
2015128505.tif 000013
【図９】
2015128505.tif 000014
【図１０】
2015128505.tif 000015
【図１１】
2015128505.tif 000016
【図１２Ａ】
2015128505.tif 000017
【図１２Ｂ】
2015128505.tif 000018
【図１２Ｃ】
2015128505.tif 000019
【図１２Ｄ】
2015128505.tif 000020
【図１３】
2015128505.tif 000021
【図１４】
2015128505.tif 000022
【図１５】
2015128505.tif 000023
【図１６】
2015128505.tif 000024
【図１７】
2015128505.tif 000025
【図１８】
2015128505.tif 000026